(57)【要約】大量に流通し、回収コストが膨大であるため、それが使い捨てとなる無線ＩＣチップでは製造単価の削減が課題として存在する。製造単価削減のため、単純にアンテナを製造単価削減のため、オンチップ化した無線ＩＣチップでは、利用するアプリケーション事情、読み取る機械の読み取り精度から、従前から知られている無線ＩＣチップの搭載アンテナサイズを大きくしたり、読み取り装置の出力電力を大きくしたりして、通信距離拡大を図ることが可能であるが、微小チップに対するオンチップアンテナ化が図れなくなる。本願においては、半導体基板が導体であるため、外部からオンチップアンテナに交流磁界を与えると渦電流が原理的に発生するので、設計パラメータとして基板厚が使用できることの発見に基き、この渦電流によるエネルギの損失を減少または解消するため、基板厚さの薄型化をはかり電磁波エネルギを本来の半導体回路動作に活用させることにより、エネルギの無効吸収を防ぎ、その結果オンチップアンテナに流れる電流量を増大させて、通信距離拡大を図る。
2005024949.tif 000002
【特許請求の範囲】
【請求項１】
シリコン基板と、
金素材のアンテナと、
絶縁層と、
上記アンテナから送受信される情報を扱い、シリコン基板表面に形成される集積回路とを有し、
上記アンテナ、絶縁層、集積回路の順に上記シリコン基板表面に積層され、
上記半導体基板の厚さを２００ミクロン以下、アンテナ幅及び厚さを２．６ミクロン以上１０ミクロン以下とすることを特徴とする半導体装置。
【請求項２】
金素材のアンテナと、
絶縁層と、
上記アンテナから送受信される情報を扱い、シリコン基板表面に形成される集積回路とを有し、、
上記アンテナ、絶縁層、集積回路の順に積層され、
上記半導体基板の厚さが上記集積回路の残した厚さ若しくは、５０μｍ未満であることを特徴とする半導体装置。
【請求項３】
請求項１または２に記載の無線装置であって、
上記樹脂層がテーパ形状に形成された箇所に、上記アンテナと上記集積回路を接続する電極部が形成されることを特徴とする半導体装置。
【請求項４】
請求項１から３のいずれかに記載の無線装置であって、
上記アンテナは、通信に使用する所定周波数の電磁波により表皮効果が起きない厚さ、幅であり、幅が１０μｍを未満であることを特徴とする半導体装置。
【請求項５】
請求項１から４のいずれかに記載の無線装置であって、
粘着層が塗布されたテープを有し、
上記無線装置がアンテナ側が、上記粘着層に接着されることを特徴とする半導体装置。
【請求項６】
請求項３に記載の無線装置であって、
上記アンテナに代えて、放射アンテナの接続があることを特徴とする半導体装置。
【請求項７】
上記請求項１から５のいずれかに記載の無線装置と
凹部を有する保護部材とを有し、
上記無線装置が上記保護部材の上記凹部に包含されて漉き込まれていることを特徴とする紙。
【請求項８】
ステープラーの針であって、
請求項１から５、７のいずれかに記載の無線装置が、上記ステープラーの針の表面または内部に設置されることを特徴とするステープラーの針。
【請求項９】
請求項１から４記載の無線装置の製造方法であって、
上記アンテナ、樹脂層、集積回路の順に積層が積層された半導体ウエハを裏面からウエハ内部の酸化膜までエッチングし、
エッチングにより分離溝を形成することにより上記ウエハを切断することを特徴とする製造方法。
【発明の詳細な説明】
【技術分野】  本発明は無線により認識を行う無線ＩＣチップに関するものである。
【背景技術】  この明細書で参照される文献は以下の通りである。文献は、その文献番号によって参照されるものとする。
［文献１］特開平７−３０３２３
［文献２］特開２０００−１６３５４４
［文献３］特開２００２−８３８９４
［文献４］特開２００２−２６９５２０
［文献１］は、半絶縁性化合物半導体基板表面にパッチアンテナ上部電極を、裏面に第１の接地金属を設け、パッチアンテナの上部電極下部に位置する前記第１の接地金属を部分的に除去し、第２の接地金属を構成する外部接地金属を、半絶縁性化合物半導体基板裏面より一定の距離を保って平行に設ける、これにより１５０μｍ程度の厚みの化合物半導体基板上に構成されていても６０ＧＨｚ以下の周波数の電波を容易に発射されることを可能とする旨を開示する。
［文献２］は、チップの表側に処理回路が形成されると共にその裏側に磁性層を伴ったコイルが形成されるようにしたことにより、クロストークの防止する旨を開示する。
［文献３］は、アナログ回路上にアンテナコイルが形成されないように配置し、半導体チップの通信特性の劣化を防止する旨を開示する。
また、最終製品である非接触式半導体装置の薄型化を図るため、ベアチップの厚さを３００μｍ以下とし、特に薄型のカードに適用されるものについては、５０μｍ〜１５０μｍ程度にすること旨を開始する。
［文献４］は、基板表面と裏面にアンテナを接続した無線チップにおいて、無線チップの厚さと無線チップのトランスポンダ回路のグランド直列抵抗は比例関係にあって、このグランド直列抵抗が小さければ通信距離は長くなり、グランド直列抵抗が大きければ回路の損失抵抗が大きくなるため、通信距離は小さくなる旨を開示する。
しかしながら、「文献１」から「文献４」において例示したように、先行技術文献において基板厚さの薄型化による通信距離伸張の検討がなされたものはない。
【発明の開示】
本願において開示される発明のうち、代表的なものの概要を簡単に説明すれば、下記のとおりである。
シリコン基板と、金素材のアンテナと、絶縁層と、上記アンテナから送受信される情報を扱い、シリコン基板表面に形成される集積回路とを有し、上記アンテナ、絶縁層、集積回路の順に上記シリコン基板表面に積層され、上記半導体基板の厚さを２００ミクロン以下、アンテナ幅及び厚さを２．６ミクロン以上１０ミクロン以下とすることを特徴とする半導体装置。
【図面の簡単な説明】図１  アンテナ搭載した無線ＩＣチップとその断面図を示す図面である。
図２  無線ＩＣチップの基板の厚さを薄くしたときの効果を示す図面である。
図３  無線ＩＣチップ内部の回路構成を示す図面である。
図４  無線ＩＣチップにある絶縁層にテーパをつけてアンテナを断線させない構造を示す図面である。
図５  無線ＩＣチップに搭載されるアンテナの形状を示す図面である。
図６  無線ＩＣチップに搭載されたアンテナの保護を行うための構造を示す図面である。
図７  無線ＩＣチップに搭載されたアンテナの端子は外付けアンテナ端子と共用されることを示す図面である。
図８  無線ＩＣチップの基板を薄型化する工程を示す図面である。
図９  紙媒体にアンテナ搭載無線ＩＣチップを埋め込む構造を示す図面である。
図１０  アンテナ搭載無線ＩＣチップをステープラーに貼付した断面図を示す図面である。
図１１  無線ＩＣチップのアンテナの幅と通信距離の関係の測定データのグラフである。
【発明を実施するための最良の形態】  大量に流通し、回収コストが膨大であるため、それが使い捨てとなるＲＦＩＤタグ等に利用される無線ＩＣチップでは製造単価の削減が課題として存在する。１チップのサイズを縮小し、１ウエハー切り出せるチップの個数（ＲＦＩＤタグ）を増大による量産性の向上させることにより、製造単価の削減という課題を解決可能である。
アンテナオンチップでは、無線ＩＣチップの製造時の半導体プロセスにて製作することができる。従い、外付けアンテナ無線ＩＣチップに比べ、アンテナを端子に接続するための部材、及びアンテナ接続工程が必要なくなるため製造単価の削減という点において効果が大きい。
単純にオンチップ化しただけでは、利用するアプリケーション事情、読み取る機械の読み取り精度から、従前から知られているアンテナサイズ、アンテナの幅、アンテナ抵抗値、読み取り装置の出力電力といった設計パラメータを変更しただけでは、大事な設計目標となる実用可能な通信距離を確保できない。これは、アンテナ幅を太くすると、半導体素子との浮遊容量が増大して、エネルギの損失を招き通信距離を増大することができなくなり、アンテナ抵抗値を小さくする材料は経済的に限定され抵抗値の経済的下限値があって通信距離を増大することができない等の理由に拠る。このとき、無線ＩＣチップの搭載アンテナサイズを大きくすることにより、通信距離拡大を図ることが可能であるが、エネルギを捕獲する面積が小さな微小チップに対するオンチップアンテナ化が図れなくなる。
半導体基板は導体であるため、外部からオンチップアンテナに交流磁界を与えると渦電流が原理的に発生する。本発明は、設計パラメータとして基板厚が使用できることの発見に基き、この渦電流によるエネルギの損失または減少を解消するため、基板厚さの薄型化をはかる。外部から交流磁界のエネルギーを半導体回路動作に活用させることにより、エネルギの吸収を防ぎ、オンチップアンテナに流れる電流量の減少を防ぎ、通信距離の拡大をはかるものである。
図１は本発明の実施例を示す。図１（ａ）は本発明の平面図を示す。無線ＩＣチップ１０１の上にはオンチップアンテナ１０２が存在する。図１（ｂ）は図１（ａ）のＡ−Ａ’部分の断面図を示す。無線ＩＣチップの回路を構成するデバイス層１０４の上にポリイミド樹脂などから構成される樹脂層があり、さらのその上に金メッキなどで構成されるオンチップアンテナがある。半導体基板１０５ではリーダからの電磁波があると、基板内部に渦電流が発生する。これにより、リーダーからの電波による空間エネルギが基板側とオンチップアンテナ側に分散されて、オンチップアンテナ１０２に流れる電流量を減少させる。そのため、無線ＩＣチップが動作するのに必要な電流以下となってしまうため、最大通信距離の減少を招く。従い、半導体基板の基板厚さを薄型化させることが有効である。特に、渦電流を減少させるために、半導体基板の厚さを２００ミクロンを超えないようにすると有効であることを本発明者は見出した。また、デバイス層を残し、基板を絶縁基板とすれば渦電流の発生を防ぐことができて効率が向上する。
さらに、図１（ｃ）は半導体基板を基板裏面からすべて除去してしまった実施例を示しており、このような形態が究極の構造として無駄な渦電流を発生させないために有効である。
ここで、基板主面とは、回路を構成する素子が形成されている面を示し、基板裏面とは基板主面の反対側の面を示す。また、デバイス層とは、基板主面側に形成され、回路を構成する素子、配線から成る層を示す。
基板厚さとは、基板裏面からデバイス層の配線層を除いた部分の厚さを言うものとする。つまり、基板裏面から回路を構成する素子が層までの厚さということになる。デバイス層厚さとは、回路を構成する素子、配線から成る層を示す。
図２は本発明の効果を示す図面である。無線ＩＣチップの上に４ミクロン厚さの耐熱性に優れるポリイミド樹脂を付着し、さらに厚さ１０ミクロンの金メッキによるオンチップアンテナを付着した無線ＩＣチップにおいて、リーダから３００ｍＷのマイクロ波を放射して通信距離を観測したものである。オンチップのアンテナ幅は５ミクロンと２０ミクロンである。このとき、シリコン基板の比抵抗は１０Ωｃｍである。
この観測データから、半導体基板の厚さが２００ミクロンを超えない領域になると急激に通信距離が伸びることが分かる。また、少なくとも６００ミクロンの通信距離を確保することができる。
アンテナ幅が２０ミクロンであると、アンテナと半導体基板の間の寄生容量が増加する。寄生容量の増加があると交流波では電流のもれが増加してエネルギが漏れるため、アンテナ幅が２０ミクロンの場合、半導体基板の厚さを減少してもさほど性能の変化がない。
しかし、この場合においても寄生容量によって半導体基板薄膜化の通信距離伸張の効果がキャンセルされているだけであり、半導体基板厚さを２００ミクロン以下とすることによる通信距離の伸張という効果に関しては変わりはない。
グラフに示すように、本実験の条件によれば半導体基板厚さが１００ミクロンを越えない領域になると、半導体基板厚さに対する通信距離を表すグラフの傾きが急になり通信距離が伸び、少なくとも通信距離７００ミクロンを確保できる。。
又、半導体基板が５０ミクロンを超えない領域になると、通信性能は極限まで向上し続け、少なくとも１０００ミクロンの通信距離が確保できる。これは、さらに渦電流の減少が進むためである。
上記実験においては、ポリイミド樹脂の厚さを４ミクロンとしたが、ポリイミド樹脂を厚くして、アンテナは半導体基板との寄生容量の低減が可能である。従い、ポリイミド樹脂は少なくとも４ミクロン以上あれば良い。
上記実験においては、リーダから３００ｍＷのマイクロ波を放射したが、一般的にはリーダからのマイクロ波は３００ｍＷ±１５０ｍＷの間で変動する。また、リーダからのマイクロ波は２００ｍＷであることも想定される。
半導体基板の厚さが２００ミクロン以下の構成は、渦電流が小さいので通信性能の向上に有効な領域である。半導体基板の厚さが２００ミクロン以上では、渦電流がほぼ定常的に流れて、厚さと性能の関係はさほど顕著ではない。
図３は本発明での無線ＩＣチップの内部の構成を示している。アンテナ１０２は図１では符号１０２に相当し、整流回路３０２、クロック抽出回路３０３、ロードスイッチ３０４、カウンタ・メモリ回路３０５は図１では符号１０１の内部に存在している。アンテナ１０２は整流回路３０２に接続されている。クロック抽出回路３０３により高周波のキャリアから低周波のクロックパルスが抽出されて、カウンタ・メモリ回路３０５に入力される。メモリ出力はロードスイッチ３０４により、アンテナ間のインピーダンスを変化させて、リーダへデータを送信する。クロック抽出回路においては、クロック幅および間隔が抽出される。アンテナは誘導電磁波によってエネルギを得るのでコイル形状となっていることが多いが、特に形態を固定するものではない。アンテナのＱ値を向上させるためには、アンテナとデバイス層での容量結合の減少、アンテナの抵抗値の減少を行う必要がある。そのため、樹脂層をアンテナとデバイス層の間に入れ、また、アンテナを厚い（１〜１０ミクロン以上）抵抗率の小さい材料たとえば金メッキや銅メッキで作成することによる効果が大きい。
図４は図１のアンテナ接続電極５０２，５０４の断面図を示している。この図４の断面図は図５の電極５０２や５０４、また図７の電極５０２や５０４の断面図を示している。アンテナ１０２は図１のアンテナ１０２の断面を示している。この図は、アンテナ１０２が絶縁樹脂４０２にカバーして、酸化膜４０３が部分的に被覆した半導体素子および配線層１０３および半導体基板１０５の上面にある接続パッド４０６と接続した断面図を示している。この図のように、絶縁樹脂は４ミクロン以上と厚いために、テーパをつける断面形状とすることにより、断線なく、アンテナパターンを蒸着させることが可能となる。
図５は本発明の別の実施例を示している。本発明者は、オンチップアンテナ１０２が無線ＩＣチップ１０１にあるとき、アンテナの幅が性能に寄与することを考案した。すなわち、オンチップアンテナは無線ＩＣチップ上の電極端子５０２と５０４と接続するが、アンテナは絶縁膜が厚くとれないとき、アンテナは半導体基板との寄生容量をもつ構造となる。絶縁膜を厚くして、寄生容量の低減が可能であるが、製造単価の増大をまねく。そこで、本発明者はオンチップアンテナの幅を低減する構造を考案した。
図１１はアンテナの幅と通信距離の関係を測定したデータを示しており、アンテナ幅を１０ミクロン以下にすることにより、通信距離を確保することができることを示している。アンテナの厚さは１０ミクロンで測定している。アンテナの厚さは高周波表皮効果以上であればよく、マイクロ波では、２．４５ＧＨｚを想定し計算すると、２．６ミクロン以上となる。つまり、アンテナ厚さが２．６ミクロン以下となると通信距離は低下することになる。従い、アンテナ幅を２．６ミクロン以上、１０ミクロン以下とすることにより、通信距離を確保することができる。また、図１１にアンテナの幅と厚さの関係は逆であっても良い。つまり、図１１の横軸をアンテナ厚さとし、アンテナ幅を１０ミクロンとしても同様の結果が得られる。アンテナ材料は低抵抗であることが望ましく、金、銅、銀、アルミなどが用いられる。
図６は図１のオンチップアンテナ付無線ＩＣチップをハンドリングしやすくするために、オンチップアンテナ付無線ＩＣチップをテープに搭載する実施例について示している。無線ＩＣチップ１０１の表面にあるオンチップアンテナ１０２は粘着層６０５が塗布されたフィルム６０２にフェースダウンで付着しており、リール６０６に巻き取られる形態を示している。オンチップアンテナの材料は金を用いることが多いが、このとき、金の表面に保護膜を付着しないと、金が傷つきやすく、性能低下をまねく。本実施例では、金によるアンテナの面をテープの粘着層により付着効果と保護効果を兼用させようとするものである。リールに巻かれた無線ＩＣチップは必要なときにテープから引っ張り出されて、カットされ対象物に貼付される。
図７は図１のオンチップアンテナ付無線ＩＣチップと共通のデバイス層と電極部をもつ状態のチップを活用して、無線ＩＣチップの外付けアンテナを接続する実施例を示している。図５で示した電極端子５０２や５０４は無線ＩＣチップ１０１において、外付けの放射アンテナである７０１や７０２を取り付ける端子を兼用するものであることを説明している。このようにすると、半導体製造工程において、最後の金メッキ工程直前までを共通工程として、最後の金メッキのマスクを変更するのみで、外付けの放射アンテナ端子形成とオンチップアンテナ形成を分離して製造することが可能となる。
図８は本発明の別の実施例を示している。前に、半導体基板をすべてを除去する実施例を記載した。この実現方法を述べる。図８（ａ）は完成したオンチップアンテナ付きウエハで基板１０５と酸化膜８０２とオンチップアンテナおよび半導体素子を含む層８０４の断面図を示している。このウエハはガラス基板などの基板８０５に接着剤８０３にて接着されている。図８（ｂ）はその次の工程を示しており、図８（ａ）で形成したウエハを水酸化カリウム等の溶液に浸漬して、ウエハ裏面のシリコンを除去した直後の工程の断面図を示している。ウエハ内部の酸化膜は水酸化カリウムではエッチングしないためにエッチングストッパ層としての機能を有する。図８（ｃ）は図８（ｂ）に続けて、裏面をホトレジスト技術によりマスクパターンを形成して、ウエットまたはドライによって酸化膜８０２とオンチップアンテナおよび半導体素子を含む層８０４をエッチングして、エッチング溝８０６を形成した直後の断面図を示している。
図９はオンチップアンテナ付き無線ＩＣチップを紙幣などの有価証券に埋め込む構造について示している。図９（ａ）は有価証券９０１の平面図であって、その一部にスレッド９０２が紙の中に無線ＩＣチップ１０１を搭載して埋め込まれている。図９（ｂ）は図９（ａ）のＡ−Ａ’部分の断面図を示している。この図で特徴的なのは、オンチップアンテナ１０２を搭載した無線ＩＣチップ１０１は図８などの工程を通して極めて薄いたとえば１０ミクロンほどにも薄くなっていることが特徴であり、このまま紙媒体に入れてもカレンダ処理による高圧な紙圧縮工程に機械的に耐えることは困難である。そのために、スレッドのなかに凹部を設けて、その周辺サイドに土手９０２と９０４を設ける。この土手の作用によって、高圧が紙に印加されても、無線ＩＣチップを機械的に保護することが可能となる。このスレッドおよびその土手となる材料はＰＥＴなどのプラスチック、紙などの繊維材料などが望ましく、加圧に対して変形しない材料が好まれる。
図１０は、いままで述べたオンチップアンテナ付き無線ＩＣタグをステープラーの上または内部に取り付けた状態の断面図を示している。無線ＩＣチップ１０１とアンテナ１０２はステープラーの針１００３に取り付けられ、紙やフィルム１００１のところに挿入されている。無線ＩＣチップはあらかじめステープラーの針列に順序良く搭載されている。この針列をステープラー本体の装置に装着して、紙やフィルムにステープラー止めを行えば、従来のステープラーと同様に自由に無線ＩＣチップを取り付けることが可能であり、また、取り付けるための装置は従来のままでよい。無線ＩＣチップの取り付けのコストの低減に効果を発揮することができる。尚、ステープラーを書類等に押し付け針先を曲げるとき、無線ＩＣチップ１０１へのストレス印加による割れが発生するときは、ステープラーに溝を設けてそこに無線ＩＣチップを埋め込むことは有効である。
以上、本発明者によって成された発明を実施例にもとづき具体的に説明したが、本発明は上記実施例に限定されるものではなく、その要旨を逸脱しない範囲で種々の変更可能であることは言うまでもない。例えば、上記実施例では本発明がＳＯＩ基板にて実現される場合について説明したが、ＳＯＩ基板に限定されるものではなく、一般的なＳｉ基板でも実現可能である。
【産業上の利用可能性】本願の背景となった技術分野であるＲＦＩＤに利用できる。
【図１】
2005024949.tif 000003
【図２】
2005024949.tif 000004
【図３】
2005024949.tif 000005
【図４】
2005024949.tif 000006
【図５】
2005024949.tif 000007
【図６】
2005024949.tif 000008
【図７】
2005024949.tif 000009
【図８】
2005024949.tif 000010
【図９】
2005024949.tif 000011
【図１０】
2005024949.tif 000012
【図１１】
2005024949.tif 000013
【国際調査報告】
2005024949.tif 000014
2005024949.tif 000015
2005024949.tif 000016
2005024949.tif 000017